(57)【特許請求の範囲】
【請求項１】
ポータブルテレビレコーダーと据え置きタイプのデジタルビデオレコーダーとが連携して映像情報の録画をおこなうレコーダーシステムであって、
映像情報を受信する第一のチューナーと、前記映像情報を記録する第一の記録部と、前記第一のチューナーで受信した映像情報あるいは前記第一の記録部に記録された映像情報を表示する表示部と、予約情報に従い前記第一のチューナーと前記第一の記録部を制御して映像情報の記録をおこなう第一の録画予約手段と、前記表示部により視聴した映像情報の視聴履歴や前記第一の記録部に記録された映像情報の状態を管理する第一の映像情報管理手段と、前記第一の録画予約手段の第一の予約情報と前記第一の映像情報管理手段の第一の映像管理情報を前記デジタルビデオレコーダーに通知する第一の通信手段を備えるポータブルテレビレコーダーと、
前記ポータブルテレビレコーダーから第一の予約情報と第一の映像管理情報を受信する第二の通信手段と、録画予約された映像情報を記録する第二の記録部と、予約情報に従い第二のチューナーと前記第二の記録部を制御して映像情報の記録をおこなう第二の録画予約手段と、前記第二の記録部に記録された映像情報を管理する第二の映像情報管理手段と、を備えるデジタルビデオレコーダーとから成り、
前記第二の録画予約手段は前記第二の通信手段により受信したポータブルポータブルテレビレコーダーの第一の予約情報に基づいてバックアップ録画予約をおこない、
前記第二の映像情報管理手段は前記第二の通信手段により受信したポータブルポータブルテレビレコーダーの第一の映像管理情報と前記第二の記録部に記録された映像情報の状態に基づいて前記第二の記録部の映像情報を削除することを特徴とするレコーダーシステム。
【発明の詳細な説明】
【技術分野】
【０００１】
本発明は、ポータブルテレビレコーダーと据置きレコーダーとの使い勝手のよい連携を提供する技術に関するものである。
【背景技術】
【０００２】
従来よりアナログテレビ放送を受信するポータブルテレビが提供され外出先でのテレビの視聴要求に応えるものとして普及している。またハードディスクやＤＶＤなどの大容量記憶装置を内蔵し、アナログ・デジタルテレビ放送を受信してデジタルデータを記録再生する据置きのデジタルビデオレコーダー（上記ステーション）が、その使い勝手の良さからビデオテープレコーダを置き換える商品として普及が拡大している。
【０００３】
一方、録画済のビデオデータを屋外で視聴するニーズに応えるために、ハードディスクなどの大容量記憶装置を内蔵し、デジタルビデオデータを転送して外出先で再生するポータブルビデオビューワーも多数製品化されている。
【０００４】
今後はモバイル機器向けデジタル放送の普及も見込まれる中で、外出先でもテレビ放送を録画をしたいというニーズに応えるために、ポータブルテレビ端末に記憶装置を内蔵したポータブルテレビレコーダー（以下ＰＴＲと記す）が増えてくるものと考えられる。
【０００５】
また、モバイル機器向けデジタルテレビ放送で想定されているデータ放送では番組内容に関連するインターネットＷｅｂサイトのアドレスなどが提供されることも想定されている。
【０００６】
上記のデジタルビデオレコーダーで、遠隔地から録画予約や録画制御をおこなえるようにして、使い勝手を向上する技術が特許文献１〜４に開示されている。
【０００７】
【特許文献１】特開2001-245264号公報
【特許文献２】特開2001-346137号公報
【特許文献３】特開2002-291066号公報
【特許文献４】特開2002-374484号公報
【発明の開示】
【発明が解決しようとする課題】
【０００８】
上記のようなＰＴＲは、屋外という電波的に不安定で電源供給も限られた環境で受信や録画をしなければならないため、どうしても電波強度不足による画質の低下や電池切れによる録画不可などの録画失敗リスクを避けることができない。更にテレビ放送では一度放送された番組は通常再び放送されることが無いために、録画失敗は致命的なものとなる。
【０００９】
あるいはこのような課題の解決策としてステーションでバックアップ録画をすることが考えられるが、バックアップ録画によってステーションで予約済の別の予約録画を実行することができなくなってしまう可能性がある。
【００１０】
あるいはステーションとＰＴＲの録画予約を別々に行う必要があり、面倒である。
【００１１】
あるいはデータ放送でインターネットＷｅｂサイトのアドレスなどを入手しても、インターネットに接続する機能がなかったり、無線通信機能の電波状態などによってインターネットに接続できなければこれを利用することはできない。
【００１２】
本発明の目的は、上記課題を解決し、録画映像品質が高く使い勝手のよいＰＴＲを提供することにある。
【課題を解決するための手段】
【００１３】
ポータブルテレビレコーダーと据え置きタイプのデジタルビデオレコーダーとが連携して映像情報の録画をおこなう本発明のレコーダーシステムは、映像情報を受信する第一のチューナーと、前記映像情報を記録する第一の記録部と、前記第一のチューナーで受信した映像情報あるいは前記第一の記録部に記録された映像情報を表示する表示部と、予約情報に従い前記第一のチューナーと前記第一の記録部を制御して映像情報の記録をおこなう第一の録画予約手段と、前記表示部により視聴した映像情報の視聴履歴や前記第一の記録部に記録された映像情報の状態を管理する第一の映像情報管理手段と、前記第一の録画予約手段の第一の予約情報と前記第一の映像情報管理手段の第一の映像管理情報を前記デジタルビデオレコーダーに通知する第一の通信手段を備えるポータブルテレビレコーダーと、前記ポータブルテレビレコーダーから第一の予約情報と第一の映像管理情報を受信する第二の通信手段と、録画予約された映像情報を記録する第二の記録部と、予約情報に従い第二のチューナーと前記第二の記録部を制御して映像情報の記録をおこなう第二の録画予約手段と、前記第二の記録部に記録された映像情報を管理する第二の映像情報管理手段と、を備えるデジタルビデオレコーダーとから構成し、前記第二の録画予約手段は前記第二の通信手段により受信したポータブルポータブルテレビレコーダーの第一の予約情報に基づいてバックアップ録画予約をおこない、前記第二の映像情報管理手段は前記第二の通信手段により受信したポータブルポータブルテレビレコーダーの第一の映像管理情報と前記第二の記録部に記録された映像情報の状態に基づいて前記第二の記録部の映像情報を削除するようにした。
【発明の効果】
【００１４】
本発明によれば、録画映像品質が高く、使い勝手のよいＰＴＲを提供することができる。
【発明を実施するための最良の形態】
【００１５】
図１は、本発明装置の一実施例のＰＴＲの構成図であり、１００はＰＴＲ、１０１は携帯端末向けデジタルテレビ放送用チューナー、１０２は制御装置、１０３はオーディオデコーダ、１０４はＬＣＤ、１０５は通信装置、１０６はストレージ、１０７は電源、１０８はアンテナ、１０９はスピーカー、１１０はビデオデコーダ、１１１はＴＳ  Ｉ／Ｆ、１１２はＬＣＤコントローラ、１１３はオーディオＤＡＣ／アンプ、１１４はＬＣＤ、１１５はＵＳＢ Ｉ／Ｆ、１１６は無線ＬＡＮ、１１７は携帯電話通信Ｉ／Ｆ、１１８はモデム、１１９はＣＰＵ／メモリである。
【００１６】
図２は、本発明装置の一実施例のＰＴＲ１００の内蔵する通信装置１０５とステーション２００の通信接続を示す図であって、２００はステーション、２０１は公衆無線ＬＡＮアクセスポイント、２０２はインターネット、２０３は携帯電話・ＰＨＳ端末、２０４は携帯電話通信網、２０５は公衆電話回線網であって、図１と同じ番号は同じ対象を示す。
【００１７】
チューナー１０１はアンテナ１０８からの電波を受信して、ＴＳ（TransmitStream：デジタル画像・音声ストリーム）データとして出力する。
【００１８】
ＴＳ  Ｉ／Ｆ１１１はチューナー１０１から入力されたＴＳデータを、映像・音声分離して画像データをビデオデコーダ１１０へ、音声データをオーディオデコーダ１０３に出力する。ビデオデコーダ１１０は、入力された圧縮画像データをデコードして、ＬＣＤコントローラ１１２経由で表示装置であるＬＣＤ１０４に出力する。一方、オーディオデコーダ１０３は、入力された圧縮音声データをデコードして、オーディオＤＡＣ／アンプ１１３経由でスピーカー１０９に出力する。
【００１９】
制御装置１０２は、ＴＳ  Ｉ／Ｆ１１１、ビデオデコーダ１１０、ＬＣＤコントローラ１１２、オーディオデコーダ１０３、時計機能１１４を内蔵し、ポータブルテレビレコーダの各ユニットを制御するＣＰＵ／メモリ１１９を有するＬＳＩである。ＣＰＵ／メモリ１１９は各ユニットの動作を制御するとともに、録画時にはチューナー１０１からのＴＳデータをストレージ１０６に保存し、再生するときにはストレージ１０６から読み出したＴＳデータをＴＳ−Ｉ／Ｆ１１１に渡す。また、通信装置１０５を制御しステーション２００と接続して通信する制御を行う。また時計機能１１４は時間情報をＣＰＵ／メモリ１１９に提供する機能と、あらかじめ設定された時間になるとＣＰＵ／メモリ１１９に報知する機能とを有する。
【００２０】
電源１０７は充放電可能な２次電池を含む電源供給ユニットであり、ＰＴＲ１００の動作に必要な電力を装置全体に供給し、２次電池の残量などの情報を制御装置１０２に提供する。
【００２１】
ステーション２００はＰＴＲ１００に対して、ＬＣＤ１０４と内蔵スピーカー１０９の代わりに映像・音声出力が準備され、電源１０７には主機能動作用の電池が無く時計のバックアップ動作に必要な電力を供給する小容量の電池を内蔵する。ＰＴＲ１００とステーション２００で同じ番組を録画できることが前提であるため、サイマルキャストが行われていない場合においてはチューナー１０１はＰＴＲ１００と同じく携帯端末向けテレビ用チューナーを搭載し、サイマルキャストが行われている場合においては据置き機器用放送チューナーを搭載する構成となる。
【００２２】
またＰＴＲ１００の通信装置１０５はＵＳＢ  Ｉ／Ｆ１１５、無線ＬＡＮ１１６、携帯電話通信Ｉ／Ｆ１１７、公衆電話回線用モデム１１８から成り、ステーション２００も同様な通信機能を有し、各々適切な通信Ｉ／Ｆを使用して相互に通信する。
【００２３】
通信装置１０５はＵＳＢ  Ｉ／Ｆ１１５でステーション２００と直接接続して通信したり、あるいは直接接続できない場合にはユーザーの要求に従って、無線ＬＡＮ１１６で公衆無線ＬＡＮアクセスポイント２０１に接続しインターネット２０２を経由してステーション２００と通信したり、携帯電話通信Ｉ／Ｆで携帯電話・ＰＨＳ端末２０３を接続して携帯電話通信網２０４からインターネット２０２あるいは公衆電話回線網２０５を経由してステーション２００と通信したり、モデム１１８で公衆回線網２０５に接続してステーション２００と通信したりする。
【００２４】
このようなステーション２００における、録画予約画面の例を図３に示す。
図３において、３００は録画予約リスト、３０１は録画予約日時指定列、３０２は録画予約チャンネル指定列、３０３は録画予約番組名指定列、３０４は録画予約先指定及び端末通知状況表示列、３０５はバックアップ録画指定列、３０６は録画予約優先度指定列、３０７は録画完了時のストレージ残量目安表示列、３０８は録画優先設定選択エリア、３０９はバックアップ録画時のストレージ残量マージン選択エリアである。
【００２５】
録画予約は日時３０１とチャンネル３０２と番組名３０３を指定することによって行われる。日時や番組名などの情報は電子番組表で取得してその中から録画予約したい番組を選択して指定しても良い。録画予約先指定列３０４に示すように、本発明のステーション２００では予約録画をステーション２００自体で行うかＰＴＲ１００で行うかの選択が可能である。また、あらかじめＰＴＲの固有ＩＤを登録しておくことによって、複数のＰＴＲに対して個別に予約先を指定することができる。
【００２６】
録画予約先としてＰＴＲ１００を指定した場合、ステーション２００はＰＴＲ１００と通信可能な状態かどうかの確認を行い通信可能であればＰＴＲ１００に対して録画予約指示情報（日時３０１、チャンネル３０２、番組名３０３）を送信し、ＰＴＲ１００はこの指示に従って録画予約の設定を行う。通信可能でなければ通信可能となるまで待機し、後に接続されて通信可能となると録画予約指示をＰＴＲ１００に通知する。ＰＴＲ１００は録画予約が完了したらその旨ステーション２００に通知するが、指示された録画予約が既にＰＴＲ１００で録画予約設定済みの番組と重なる場合は、その旨をステーション２００に通知する。ステーション２００は既にＰＴＲ１００で予約されていた番組をキャンセルして録画予約を設定するかどうか、画面に表示してユーザーの判断を仰ぎその結果をＰＴＲ１００に通知する。ステーション２００は通知が完了し正常に完了し、ＰＴＲ１００に予約指示を送信済みとなると、録画予約先指定列３０４の当該予約の欄に［通知済］のように表示する。
【００２７】
また、インターネット経由で通信可能である場合は、直接予約指示情報を送信するほかに、ステーション２００は規定のメールアドレス宛に予約指示情報を記述した、あるいは予約指示情報を添付したメールを送信し、またこのメールはタイトルにＰＴＲ１００に対する録画予約指示である旨わかるようなタイトルが与えられる。ＰＴＲ１００は定期的にこのメールアドレス宛のメールの受信を確認し、タイトルを確認し、録画予約指示のメールであった場合にはその指示に従って録画予約設定を行う。ＰＴＲ１００からステーション２００への通知の場合も同様にステーション用のメールアドレスに情報を送信することで実現可能であるが、メールのタイトルに相手の識別子、例えばステーション””端末”などの機器名やあらかじめ交換された機器のＩＤなどをつけることによって、単一のメールアドレスを利用して双方向の情報通知を行うようにすることも可能である。
【００２８】
ステーション２００での録画予約において録画予約先３０４としてＰＴＲ１００を指定するとＰＴＲ１００での録画失敗のリスクに備えてステーション２００でバックアップ録画を行うようにバックアップ録画指定列３０５に設定することが可能になる。
このバックアップ録画指定列３０５でバックアップ録画をすると指定されると、本録画予約はステーション２００でも同時に録画予約設定されたものとして予約録画を実行し、ＰＴＲ１００での録画失敗に備える。
【００２９】
バックアップ録画を指定されたステーション２００は、バックアップ録画によって既に録画予約済の録画と重なる可能性があり、重なった場合の対処をユーザーが指定するために録画予約リスト３００に録画優先設定選択エリア３０８を有する。更に、録画予約優先度指定列３０６で各録画予約毎に録画の優先度（プライオリティ）を高・中・低の３種類から指定可能であり、録画優先設定選択エリア３０８で「プライオリティに従って優先録画を決定」が選択されたときに録画優先度を決定するために参照される。
【００３０】
図５は本発明装置の一実施例における、録画予約実行の優先度によるタイムテーブルの例であって、４０１，４０２，４０３は実際に予約録画実行さるタイムテーブルのイメージを示す。図３と同じ番号は同じ対象を示す。
【００３１】
図５に示すような通常録画とバックアップ録画が重なってしまうような場合において、ステーション２００は録画優先設定選択エリア３０８で選択された状態に応じて適切な録画を行う。
【００３２】
録画優先設定選択エリア３０８には「常にステーションの予約を優先」「常にバックアップ録画を優先」「プライオリティに従って優先録画を決定」の３つの選択肢が用意されている。「常にステーションの予約を優先」が選択されているときに録画予約が重なったときには、バックアップ録画よりもステーションの通常予約録画を優先して実行する。（５０１）「常にバックアップ録画を優先」が選択されているときに録画予約が重なったときには、ステーションの通常予約録画よりもバックアップ録画を優先して実行する。（５０２）「プライオリティに従って優先録画を決定」が選択されているときは、録画予約時に設定された録画予約優先度指定列３０６に指定された優先度（高、中、低）に従って、優先度の高い予約録画を実行する。（５０３）
録画優先設定選択エリア３０８のどの設定においても、録画の重なりが一部である場合は優先された録画を開始する前や終了した後の時間に関しては優先度の低い予約を途中まであるいは途中から録画する。
【００３３】
また、バックアップ録画が通常録画予約と重ならない場合であっても、バックアップ録画を実施することによってステーション２００のストレージ容量が不足してしまい、バックアップ録画実行後の通常録画予約が実行できなくなってしまう可能性がある。これを防ぐために、バックアップ録画の優先度が中または低の場合には、バックアップ録画の開始５分前にストレージ残量のチェックを行う。予測されるストレージ残量は録画完了時のストレージ残量目安表示列３０７のように録画予約リスト３００上に表示されユーザーにも目安として提示される。残量計算では、前記優先度も考慮し実際に録画される分の容量だけを減算する。
【００３４】
バックアップ録画開始直前のストレージ残量チェックでは、バックアップ録画の開始時刻から２４時間後までに録画開始時間が設定されている録画予約によって消費されるであろうストレージ容量を算出し、バックアップ録画開始時のストレージ残量と比較する。その結果ストレージ残量が少ない場合にはそのバックアップ録画の実行を中止し、ストレージ残量の方が大きい場合のみバックアップ録画を実行する。このときストレージ残量マージンとして確保する時間は、バックアップ録画時のストレージ残量マージン選択エリア３０９の設定でユーザーが選択可能であり、ストレージ残量チェック時に参照される。
【００３５】
一方、図４は本発明装置の一実施例のＰＴＲ１００における、録画予約画面の例であって、４００は録画予約リスト、４０１は録画予約日時指定列、４０２は録画予約チャンネル指定列、４０３は録画予約番組名指定列である。
【００３６】
ＰＴＲ１００は単体での録画予約機能を有し、録画予約リスト４００上で日時４０１とチャンネル４０２を指定することにより、時計機能１１４が指定時刻になるとＣＰＵ１１９に通知しＰＴＲ１００は自動的に録画予約された放送を受信して番組を指定時間録画する。ＰＴＲ１００上で録画予約を指定されると、ＰＴＲ１００はステーション２００と通信を行ってバックアップ録画を行うように通知する。この通知を受けたステーション２００は自らの録画予約リスト３００に「ＰＴＲ１００での録画予約（バックアップ有）」として本録画予約を追加してバックアップ録画を予約設定する。
【００３７】
あるいはＰＴＲ１００での録画予約時に当初はバックアップ録画の指示を通知せず、予約録画開始時あるいは予約録画中にチューナー１０１からの電波状態不良ステータスを検知したとき、あるいは予約録画開始前から予約録画終了までの間に電源１０７からの電池残量低下ステータスを検知すると、通信機能１０５でステーション２００と接続を試み、接続後ステーション２００に対してその予約録画のバックアップ録画を行うよう通知する。ステーション２００は通知された情報に従って録画を行う。
【００３８】
このようにしてバックアップ録画した番組はステーション２００及びＰＴＲ１００の両方に記録される為、これらがストレージ容量の無駄となることを防ぐために自動消去機能を提供する。ＰＴＲ１００は予約録画中に電波受信状態の悪化による画質低下や、電池残量の不足で正常録画できなくなると、録画情報として録画失敗という録画視聴ステータスを保存し、正常に録画ができた場合は録画成功というステータスを記録する。またユーザーは”未視聴””視聴済”などのように、録画した番組を視聴したかどうかのステータスを指定できる。また、録画した番組の先頭部分と終端部分の両方が再生されると自動的に”視聴済”のステータスが自動的に記録される。
【００３９】
ＰＴＲ１００は予約録画が終了した後でステーション２００と接続されて通信可能となると、ステーション２００に対し録画予約した番組の日時・チャンネルと併せて”視聴済””未視聴””録画失敗”などの録画視聴ステータスを送信する。ステーション２００も同様にバックアップ録画を実行していた場合はＰＴＲ１００に対し番組情報と録画視聴ステータスを送信する。ＰＴＲ１００とステーション２００は各々、図６に示す録画ステータスの組み合わせに応じて、ＰＴＲ１００及びステーション２００の番組データを消去する。ＰＴＲ１００は、自身の録画結果が”録画失敗”あるいは録画成功したが”視聴済”で、ステーション２００の録画結果が”録画成功”であった場合には、ＰＴＲ１００に保存してある録画データ（途中で録画失敗したデータを含む）は既に不要であると判断して削除する。
【００４０】
一方ステーション２００は、”録画失敗”して録画失敗したデータを保持していた場合で、ＰＴＲ１００が録画成功していた場合（”視聴済”か”未視聴”かは問わず）には、ステーション２００に保存してある録画データは既に不要であると判断して、、ステーション２００の録画失敗したデータを削除する。
【００４１】
しかしながら、これら消去されるデータはストレージ残量が不足しない限りにおいては残しておいても差し支えない。この為、自動消去する番組は録画済番組リストから削除するものの実際のストレージ上には残しておき、ストレージ残量が不足した時点で実際に削除を行う。これによりユーザーは録画済番組リストから削除されてもストレージ上に残っている番組を復活させることが可能である。
【００４２】
更にＰＴＲ１００はインターネット接続機能とＷｅｂページ表示機能やメール受信機能を有している。携帯機器向けデジタルテレビ放送で、ＰＴＲ１００が放送波に乗せて放送された番組関連インターネットＷｅｂページのＵＲＬやメールアドレス等を受信した場合、ＵＲＬ等の受信時にインターネットに接続可能な状態であればそのＷｅｂページを表示したり、メールを送受したりする。一方、ＰＴＲ１００は上記Ｗｅｂページ表示機能などを有していても、インターネット接続用無線通信機能等の電波状態が不良でその場でそのＷｅｂページを参照できない場合や、ユーザーの好みでその場で参照しない場合においては、ＰＴＲ１００はそのＵＲＬ等の情報を番組情報（日時、チャンネル、番組名）と関連付けてストレージに保存する。保存された情報はユーザーが望むときに引き出したり消去したりすることが可能であり、後日電波状態が回復したときなどにそのＷｅｂページなどを参照することが可能である。また、ステーション２００はインターネット接続機能とＷｅｂページ表示機能やメール受信機能を有していて、ＰＴＲ１００はステーション２００に接続されるとこの保存された情報をステーション２００に転送し、ステーション２００でもそのＷｅｂページ等を参照することが表示することが可能である。
【図面の簡単な説明】
【００４３】
【図１】実施例のＰＴＲの構成図である。
【図２】実施例のＰＴＲ１００の内蔵する通信装置１０５とステーション２００の通信接続を示す図である。
【図３】実施例のステーション２００における、録画予約画面である。
【図４】実施例のＰＴＲ１００における、録画予約画面である。
【図５】通常録画とバックアップ録画が重なってしまうような場合のタイムテーブルである。
【図６】実施例での自動消去を判定する録画ステータスの組み合わせをしめす。
【符号の説明】
【００４４】
１００…ＰＴＲ、１０１…携帯端末向けデジタルテレビ放送用チューナー、
１０２…制御装置、１０３…オーディオデコーダ、１０４…ＬＣＤ、１０５…通信装置、
１０６…ストレージ、１０７…電源、１０８…アンテナ、１０９…スピーカー、
１１０…ビデオデコーダ、１１１…ＴＳインターフェイス、
１１２…ＬＣＤコントローラ、１１３…オーディオＤＡＣ／アンプ、１１４…ＬＣＤ、
１１５…ＵＳＢ Ｉ／Ｆ、１１６…無線ＬＡＮ、１１７…携帯電話通信Ｉ／Ｆ、
１１８…モデム、１１９…ＣＰＵ／メモリ、２００…ステーション、
２０１…公衆無線ＬＡＮアクセスポイント、２０２…インターネット、
２０３…携帯電話・ＰＨＳ端末、２０４…携帯電話通信網、２０５…公衆電話回線網、
３００…録画予約リスト、３０１…録画予約日時指定列、
３０２…録画予約チャンネル指定列、３０３…録画予約番組名指定列、
３０４…録画予約先指定及び端末通知状況表示列、３０５…バックアップ録画指定列、
３０６…録画予約優先度指定列、３０７…録画完了時のストレージ残量目安表示列、
３０８…録画優先設定選択エリア、
３０９…バックアップ録画時のストレージ残量マージン選択エリア、
４００…録画予約リスト、４０１…録画予約日時指定列、
４０２…録画予約チャンネル指定列、４０３…録画予約番組名指定列、
５０１…「常にステーションの予約を優先」時の予約実行タイムテーブル、
５０２…「常にバックアップ録画を優先」時の予約実行タイムテーブル、
５０３…「プライオリティに従って優先録画を決定」時の予約実行タイムテーブル
【図１】
0004595815.tif 000002
【図２】
0004595815.tif 000003
【図３】
0004595815.tif 000004
【図４】
0004595815.tif 000005
【図５】
0004595815.tif 000006
【図６】
0004595815.tif 000007